【手続補正書】
【提出日】平成29年6月6日(2017.6.6)
【手続補正１】
【補正対象書類名】特許請求の範囲
【補正対象項目名】全文
【補正方法】変更
【補正の内容】
【特許請求の範囲】
【請求項１】
汚染物質を含む汚染水に直径が１００ｎｍ以下の超微細気泡を含む加圧水を混合する加圧水混合装置と、
前記加圧水が混合された汚染水の流入口を一端に備えた加圧浮上槽を含み、汚染水に前記超微細気泡を含む加圧水を混合して、前記加圧浮上槽内に前記流入口から注入し、前記加圧浮上槽内に、汚染水中の浮遊物や溶解している成分に超微細気泡の界面を吸着させて浮上させ、汚染水から浮上分離物として取出すとともに、残りの液体を処理水として排出する加圧浮上装置と、
前記加圧浮上装置において取出された浮上分離物を脱水して脱水浮上物と脱水ろ液に分離する浮上物脱水装置と、
前記加圧浮上装置における前記処理水に、前記超微細気泡を混合して前記加圧水として、前記加圧水混合装置に供給する加圧水製造装置と、
圧力容器内に高温、高圧の水蒸気を注入して、投入口から投入された処理対象物を、亜臨界状態として分解する亜臨界水処理装置と、
前記亜臨界水処理装置における、亜臨界水処理済みで、排出された処理対象物から固形物を分離する固形物分離装置と、
この固形物分離装置によって固形物が分離された後の汚泥を処理する生物処理装置と、
前記生物処理装置からの余剰汚泥を脱水し、脱水汚泥を前記亜臨界水処理装置の投入口に送る余剰汚泥脱水装置と、
前記浮上物脱水装置で発生した脱水ろ液、前記生物処理装置での処理液、及び、前記余剰汚泥脱水装置で発生した脱水ろ液を、前記汚染水として循環する水循環系統と、
を有してなる汚染物質分離減容化システム。
【請求項２】
請求項１において、
前記汚染水に前記加圧水を混合する前に、汚染水に凝集剤、中和剤、化学反応剤のうち少なくとも一つを混合する凝集反応装置を設けたことを特徴とする汚染物質分離減容化システム。
【請求項３】
請求項１又は２において、
前記亜臨界水処理装置は、
前記圧力容器内に高温、高圧の水蒸気を供給する水蒸気供給装置と、
前記圧力容器内で、前記処理対象物を攪拌する複数の攪拌翼、及び、この攪拌翼を駆動する回転シャフトを含む攪拌装置と、
前記水蒸気供給装置を制御して、前記圧力容器への水蒸気供給量を制御する水蒸気制御装置と、
前記圧力容器に設けられた、前記処理対象物の投入口、処理済の前記処理対象物を取出すための取出口、及び、前記高温、高圧の水蒸気を注入するための水蒸注入口と、
を有してなり、
前記水蒸気制御装置は、圧力容器内の１以上の個所の温度を測定する温度センサーと、圧力容器内の１以上の個所の圧力を測定する圧力センサーと、これらのセンサー出力信号が入力される制御装置本体と、この制御装置本体からの指令信号に基づいて、前記水蒸気供給装置による水蒸気供給量を調節する蒸気開閉弁を駆動する開閉弁駆動装置と、
を有してなることを特徴とする汚染物質分離減容化システム。
【請求項４】
請求項１乃至３のいずれかにおいて、
前記亜臨界水処理装置は粉塵、水蒸気を含む排ガスを排出する排気管を有し、この排気管からの排出粉塵は、前記生物処理装置に供給されるようにしたことを特徴とする汚染物質分離減容化システム。
【請求項５】
請求項４において、
前記排気管と前記生物処理装置との間に、前記排気管からの排ガスを洗浄水中に通して粉塵を除去し、除去した粉塵を含む粉塵含有水を、前記生物処理装置に処理対象物として供給する水エジェクター装置を設けたことを特徴とする汚染物質分離減容化システム。
【請求項６】
請求項５において、
前記水エジェクター装置からの粉塵含有水を、前記生物処理装置からの処理水のためのパイプに送るように構成されたことを特徴とする汚染物質分離減容化システム。
【請求項７】
請求項５又は６において、
前記水エジェクター装置は、前記排気管からの排気ガスを洗浄水に曝露する水エジェクターと、この水エジェクターからの排気ガス及び洗浄水が流入する循環水槽と、この循環水槽の上端から洗浄水に曝露された後の排気ガスを排出する水エジェクター排気管と、この水エジェクター排気管の排気を除塵する除塵装置と、を有していることを特徴とする汚染物質分離減容化システム。
【請求項８】
請求項７において、
前記除塵装置で分離された粉塵が、前記浮上物脱水装置から、前記亜臨界水処理装置の前記投入口に至る投入物送り系統に送られて、前記投入口に投入されるようにしたことを特徴とする汚染物質分離減容化システム。
【請求項９】
請求項１乃至８のいずれかにおいて、
前記加圧浮上装置は、
前記加圧浮上槽内で、汚染水と超微細気泡を含む加圧水との混合水を循環させる循環装置と、前記加圧浮上槽内で、前記加圧水に含まれる超微細気泡によりを液面に浮上された浮上分離物を取出す分離物取出装置と、を有してなることを特徴とする汚染物質分離減容化システム。
【請求項１０】
請求項１乃至９のいずれかにおいて、
汚染物質を含む汚染土を洗浄して、洗浄物質及びシルトを含む汚染水からなる懸濁水と、沈殿した洗浄済土とに分離する汚染土洗浄システムを有し、
前記水循環系統は、前記汚染土洗浄システムにおける汚染水を、前記凝集反応装置を経由して、または経由しないで前記加圧水混合装置に送るように構成され、
前記加圧水製造装置により製造された加圧水の一部、及び、前記加圧浮上装置における処理水の一部を、汚染土洗浄水として、前記汚染土洗浄システムに供給するようにされたことを特徴とする汚染物質分離減容化システム。
【請求項１１】
請求項１乃至１０のいずれかの汚染物質分離減容化システムを用いて、汚染物質を含む汚染水から浮上分離物を取り出し、これを亜臨界水処理して、凝縮された金属を含むスラリーとし、このスラリーから前記金属を分離し、残りを生物処理して減容することを特徴とする汚染物質分離減容化方法。
【手続補正２】
【補正対象書類名】明細書
【補正対象項目名】０００５
【補正方法】変更
【補正の内容】
【０００５】
また土壌汚染などの、汚染物は通常広範囲の面積で長期に土壌を汚染しながら、土壌微生物による生物分解が困難な、いわゆる難分解性物質、重金属含有有機物、有機燐化合物、ダイオキシンなどの塩素含有毒物である有機物、有機溶剤性有機物などが多く、簡単なオンサイトの除害装置によるシステムを構成することが困難な場合があった。
【手続補正３】
【補正対象書類名】明細書
【補正対象項目名】００１０
【補正方法】変更
【補正の内容】
【００１０】
（１）汚染物質を含む汚染水に直径が１００ｎｍ以下の超微細気泡を含む加圧水を混合する加圧水混合装置と、前記加圧水が混合された汚染水の流入口を一端に備えた加圧浮上槽を含み、汚染水に前記超微細気泡を含む加圧水を混合して、前記加圧浮上槽内に前記流入口から注入し、前記加圧浮上槽内に、汚染水中の浮遊物や溶解している成分に超微細気泡の界面を吸着させて浮上させ、汚染水から浮上分離物として取出すとともに、残りの液体を処理水として排出する加圧浮上装置と、前記加圧浮上装置において取出された浮上分離物を脱水して脱水浮上物と脱水ろ液に分離する浮上物脱水装置と、前記加圧浮上装置における前記処理水に、前記超微細気泡を混合して前記加圧水として、前記加圧水混合装置に供給する加圧水製造装置と、圧力容器内に高温、高圧の水蒸気を注入して、投入口から投入された処理対象物を、亜臨界状態として分解する亜臨界水処理装置と、前記亜臨界水処理装置における、亜臨界水処理済みで、排出された処理対象物から固形物を分離する固形物分離装置と、この固形物分離装置によって固形物が分離された後の汚泥を処理する生物処理装置と、前記生物処理装置からの余剰汚泥を脱水し、脱水汚泥を前記亜臨界水処理装置の投入口に送る余剰汚泥脱水装置と、前記浮上物脱水装置で発生した脱水ろ液、前記生物処理装置での処理液、及び、前記余剰汚泥脱水装置で発生した脱水ろ液を、前記汚染水として循環する水循環系統と、を有してなる汚染物質分離減容化システム。